(57)【要約】【課題】悪徳行為防止に貢献でき、検査等の確認にかかる手間を簡略化して、確認作業を非常に容易なものとすることのできる遊技機を提供する。【解決手段】パチンコ機の外枠１には前枠２が回動自在に装着されている。前枠２には遊技盤３が設けられている。遊技盤３の前面側ではハンドル７の操作に基づいて所定の遊技が進行されるが、その遊技は遊技盤３の背面側に設けられた制御手段によって制御される。制御手段は被包部材にて被包され封印状態にて維持される。制御手段に予め定められた事項を確認するための媒介手段が、被包部材の所定部位に対応して設けられる。【選択図】          図１
2010240483.tif 000002
【特許請求の範囲】
【請求項１】
少なくとも遊技を司る制御手段を備えた遊技機であって、
前記制御手段内において予め記憶されている事項を外部から確認可能としたことを特徴とする遊技機。
【発明の詳細な説明】
【技術分野】
【０００１】
本発明は、パチンコ遊技機等の弾球遊技機やスロットマシン等の回胴式遊技機に代表される遊技機に係り、特に遊技を司る制御手段を備えた遊技機に関する。
【背景技術】
【０００２】
近年、パチンコ遊技機、スロットマシン等の遊技機の制御は、かかる制御を主として司るＣＰＵ、制御プログラムを記憶したＲＯＭ、及び遊技状況を記憶するＲＡＭ等を含む制御回路基板を備えることによって行われている。制御回路基板は、例えばパチンコ遊技機では遊技盤の背面側に配設される専用の基板ボックス内に収納されており、スロットマシンでは本体を画定する本体ボックス内に収納されているのが現状である。
【０００３】
ところで、かかる基板ボックス又は本体ボックス内に収納された制御回路基板から遊技内容等に関する制御プログラムが記憶されたＲＯＭ等を取り外し交換して、遊技機の遊技内容を変更等する不正行為が近年問題になっている。
【０００４】
そこで、基板ボックスのボックスベースとボックスカバーとをねじや接着剤で接合固定して閉鎖状態に維持することが行われる。また、不正行為をより確実に防止するために、基板ボックスを封印したり、或いは、ボックスベースとボックスカバーとに跨るように封印シールを貼付したりするといった種々の不正防止対策も提案されている。
【０００５】
一方、不正行為が行われたか否かを検査することも、必要に応じて或いは定期的に行われている。かかる検査に際しては、基板ボックスの閉鎖状態を解除した上で、基板ボックスからＲＯＭ等を一旦取り外し、当該取り外したＲＯＭ等に記憶されている制御プログラムが正規のものと符合するか否かを判断する。そして、制御プログラムが正規のものと符合しない場合には、不正なＲＯＭ等と交換されたものとして、この時点で不正が発見されることとなる。
【０００６】
以上のように、従来では、基板ボックスの封印等によって基板ボックスを不正に開放されるのを防止するという不正防止対策、及び、ＲＯＭ等の検査を行うことで不正を発見するという不正発見対策が行われていた。なお、不正発見対策も、間接的な側面からの不正防止対策であるといえる。また、かかる対策はパチンコ遊技機に限らず、スロットマシン等の他の遊技機にも適用することが考えられている。
【発明の概要】
【発明が解決しようとする課題】
【０００７】
しかしながら、上記検査に際し、従来では、基板ボックスの閉鎖状態を解除した上でＲＯＭ等を取り出さなければならない。このため、検査の完了までに著しい手間がかかってしまう。特に、基板ボックスのボックスベースとボックスカバーとを特殊ネジ等の封印具を用いて接合することにより、基板ボックスを封印するといったような厳重な構成が採用されていると、基板ボックスの閉鎖状態の解除により一層の手間がかかってしまう。
【０００８】
一方で、検査等を考慮して閉鎖状態の解除を容易に行えるような構成を採用した場合には、不正行為者にとっても容易に解除を行えてしまう。このため、ＲＯＭ等を不正に交換することが容易に行われてしまい、不正防止対策の効果が希薄なものとなってしまうおそれがある。
【０００９】
また、検査等のために一旦閉鎖状態が解除された後、再度基板ボックスを利用に供しようとした場合、再度封印等の不正防止対策を講じなければならず、ここでも著しい手間がかかってしまう。すなわち、ＲＯＭ等の検査を行うことで不正を発見しようとした場合、各作業において著しい手間を要してしまう。
【００１０】
本発明は以上の事情に鑑みてなされたものである。すなわち、本発明は、不正行為の防止に貢献することができ、しかも検査等の確認にかかる手間を簡略化して、確認作業を非常に容易なものとすることのできる遊技機を提供することを主目的とする。
【課題を解決するための手段】
【００１１】
以下、上記目的等を解決するのに適した各手段につき項分けして説明する。なお、必要に応じて対応する手段に特有の作用効果等を付記する。
【００１２】
手段１．遊技を司る制御手段を備えた遊技機であって、前記制御手段内において予め記憶されている事項を外部から確認可能としたことを特徴とする遊技機。
【００１３】
手段１によれば、遊技を司る制御手段内において予め記憶されている事項を外部から確認することができる。このため、制御手段を外部から取外し不能に構成したとしても検査等の確認を行うことができることとなり、かかる構成を採用することで、不正行為の防止を図ることができる。また、制御手段を設置した状態のままで確認作業を行うことができ、制御手段が例えば何らかによって被包されている場合であっても被包状態を解除したりする必要がない。従って、確認作業の簡素化を図ることができる。なお、「前記事項を、電源を投入した状態（又は遊技状態）においても外部から確認可能」としてもよい。かかる構成とすることで、いちいち電源をオフ状態にすることなく、又は遊技状態中においても確認を行うことができる。このため、ホールコンピュータ（遊技場に設置された統括制御装置）側での管理・確認を営業中であっても行うことが可能となる。
【００１４】
手段２．前記制御手段とは別に設けられ前記事項を外部から確認するための媒介手段を設けたことを特徴とする手段１に記載の遊技機。
【００１５】
手段２によれば、媒介手段を介して制御手段内において予め記憶されている事項を外部から確認することができる。
【００１６】
手段３．前記制御手段は制御基板に設けられ、かつ、前記媒介手段は前記制御基板に対し直接的又は間接的に設けられていることを特徴とする手段２に記載の遊技機。特に、「制御手段は制御基板に取外し困難に固着されていること」、或いは「制御手段は制御基板に対し固着手段（例えばハンダ等）にて固着されていること」とすることで、制御手段が取り外されることによる不正行為の抑制をより確実に防止することができる。また、媒介手段が前記制御基板に対し直接的に設けられている場合の態様としては、制御基板に対し実装されている場合が挙げられる。さらに、媒介手段が前記制御基板に対し間接的に設けられている場合の態様としては、例えば制御基板に対して中間部材を介して設けられる場合や、制御基板とは離間した部位において別途設けられている場合（この場合、媒介手段及び制御基板間が電気的に接続されていたり、通信可能となっていたりすることで前記事項を確認できるような構成となっている必要がある）が挙げられる。
【００１７】
手段４．前記制御手段を前記制御基板から取り外すことなく、前記事項を外部から確認可能としたことを特徴とする手段３に記載の遊技機。
【００１８】
手段４によれば、制御手段を制御基板に取り外すことができないよう、或いは困難なように構成したとしても、制御手段を制御基板から取り外さずとも前記事項を外部から確認できるため、上記構成を採用することで、不正行為の防止を図ることができる。また、確認に際しては、制御手段を前記制御基板から取り外す手間を省略でき、また、確認後の設置作業も不要となる。
【００１９】
手段５．少なくとも前記制御手段を被包した状態で閉鎖状態に維持可能な被包部材を備え、前記閉鎖状態を維持したまま、前記事項を外部から確認可能としたことを特徴とする手段１乃至４のいずれかに記載の遊技機。
【００２０】
手段５によれば、少なくとも前記制御手段を被包した状態で被包部材が閉鎖状態に維持されうる。従って、被包部材による閉鎖状態を解除しない限り制御手段が不正によって取り替えられたりすることがなく、不正防止を図ることができる。また、確認に際しては、閉鎖状態を維持したまま、前記事項を外部から確認することができる。従って、被包部材の閉鎖状態を解除する手間及び確認後再度閉鎖状態に維持する手間を省略することが可能となる。
【００２１】
手段６．遊技を司る制御手段と、前記制御手段を被包した状態で閉鎖状態に維持可能な被包部材とを備え、前記制御手段内には所定の事項が予め記憶されている遊技機において、前記閉鎖状態を維持したまま、前記制御手段から前記所定の事項を確認するのを許容する媒介手段を、前記被包部材の所定部位に対応させて少なくとも一部が露出した状態又は露出可能な状態で設けたことを特徴とする遊技機。なお、媒介手段が設けられることに伴い、被包部材には開口又は凹部が形成されることもありうる。この場合、「前記被包部材には、媒介手段のための開口又は凹部が設けられていること」が特徴点となる。
【００２２】
手段６によれば、遊技を司る制御手段を被包した状態で被包部材が閉鎖状態に維持されうる。制御手段内には所定の事項が予め記憶されている。そして、確認作業に際しては、被包部材の所定部位に対応して少なくとも一部が露出した状態又は露出可能な状態で設けられた媒介手段を介して、前記閉鎖状態を維持したまま、制御手段から所定の事項を確認することができる。このため、制御手段を取外し不能又は困難とするよう構成したとしても確認に支障が生じない。従って、かかる構成を採用することで、しかも、被包部材が閉鎖状態に維持されていることもあって、制御手段が取り外されるという不正行為がより確実に抑制される。また、確認に際しては、閉鎖状態を解除する手間及び確認後閉鎖状態に復帰させる手間を省略することができる。なお、「前記閉鎖状態を維持したまま、かつ、電源を投入した状態（又は遊技状態）にあっても前記制御手段から前記所定の事項を確認するのを許容する媒介手段外部から確認可能」としてもよい。かかる構成とすることで、いちいち電源をオフ状態にすることなく、又は遊技状態中においても確認を行うことができる。このため、ホールコンピュータ（遊技場に設置された統括制御装置）側での管理・確認を営業中であっても行うことが可能となる。
【００２３】
手段７．前記所定部位は、前記被包部材の略周辺部位であることを特徴とする手段６に記載の遊技機。
【００２４】
手段７によれば、媒介手段が被包部材の略周辺部位に対応して設けられるため、各種設計の自由度を阻害しにくい。また、被包部材と部分的に重複して別部材が配設されるような場合には、該別部材と媒介手段とを離間させた配置構成としやすく、その結果、媒介手段の少なくとも一部の露出状態を確保しやすくなる。
【００２５】
手段８．他の装置及び被包部材の一部を異物から保護するための保護部材を配設するとともに、前記所定部位を前記保護部材の非配設部位としたことを特徴とする手段６又は７のいずれかに記載の遊技機。
【００２６】
手段８によれば、媒介手段が保護部材から外れた部位に位置するため、検査に際し保護部材が邪魔とならず、かつ、保護部材を取り外したりする必要もなくなる。そのため、保護部材の存在によって確認に手間が生じるという事態を回避することができる。
【００２７】
手段９．前記被包部材は、前記制御手段と、前記媒介手段とは別に遊技機に設けられた他の装置との間で通信を行うための接合端子を露出状態で有してなり、かつ、少なくとも該接合端子が前記保護部材で保護されるよう構成したことを特徴とする手段８に記載の遊技機。
【００２８】
手段９によれば、少なくとも他の装置との間で通信を行うための接合端子が保護部材で保護される。一方で、媒介手段が保護部材から外れた部位に位置するため、確認に際し保護部材が邪魔とならず、しかも、前記接合端子の接合状態を解除する必要もない。
【００２９】
手段１０．前記媒介手段は、露出状態となる部位を除いて前記被包部材に設けられた壁部材にて保護されていることを特徴とする手段６乃至９のいずれかに記載の遊技機。
【００３０】
手段１０によれば、壁部材の存在により媒介手段が保護される。従って、異物等が当たったりすることによる損傷が極力抑制される。
【００３１】
手段１１．前記制御手段は前記被包手段にて被包されてなる制御基板に設けられ、かつ、前記媒介手段は前記制御基板に対し直接的又は間接的に設けられていることを特徴とする手段６乃至１０のいずれかに記載の遊技機。特に、「制御手段は制御基板に取外し困難に固着されていること」、或いは「制御手段は制御基板に対し固着手段（例えばハンダ等）にて固着されていること」とすることで、制御手段が取り外されることによる不正行為の抑制をより確実に防止することができる。また、媒介手段が前記制御基板に対し直接的に設けられている場合の態様としては、制御基板に対し実装されている場合が挙げられる。さらに、媒介手段が前記制御基板に対し間接的に設けられている場合の態様としては、例えば制御基板に対して中間部材を介して設けられる場合や、制御基板とは離間した部位において別途設けられている場合（この場合、媒介手段及び制御基板間が電気的に接続されていたり、通信可能となっていたりすることで前記事項を確認できるような構成となっている必要がある）が挙げられる。
【００３２】
手段１２．前記制御手段は、遊技にかかわる制御とは切り離された独立記憶部を有してなり、該独立記憶部に前記事項が記憶されていることを特徴とする手段１乃至１１のいずれかに記載の遊技機。ここで、「遊技にかかわる制御とは切り離された」とあるのは、「具体的な遊技内容（演出等）に直接関係のない」、或いは「それ（独立記憶部）がなくても遊技の実行を継続的に導出することができる」という意味が含まれる。従って、例えば正規の独立記憶部が備えられている場合に限って電源投入時の立ち上げが許容され、逆にそれが備えられていない場合には電源投入時の立ち上げが許容されないような特性（機能）を独立記憶部が有していたとしても差し支えない。
【００３３】
手段１２によれば、制御手段に設けられた独立記憶部に前記事項が記憶されており、該独立記憶部は遊技にかかわる制御とは切り離されている。このため、遊技に支障を来すことがなく、しかも、場合によっては遊技中であっても前記事項の確認を行うこともできる。
【００３４】
手段１３．少なくとも遊技を司る機能を有する回路を備えてなる回路基板と、前記回路基板を被包した状態で閉鎖状態に維持可能な被包部材とを備え、前記回路基板は、少なくとも遊技内容とは無関係の事項を予め記憶してなる独立記憶部を有している遊技機において、前記閉鎖状態を維持したまま、前記独立記憶部から前記事項を確認するのを許容する媒介手段を、前記被包部材の所定部位から少なくとも一部が露出した状態又は露出可能な状態で設けたことを特徴とする遊技機。
【００３５】
手段１３によれば、少なくとも遊技を司る機能を有する回路を備えてなる回路基板を被包した状態で、被包部材が閉鎖状態に維持されうる。従って、回路や回路基板に対する不正を行いにくくすることができる。また、回路基板は、少なくとも遊技内容とは無関係の事項を予め記憶してなる独立記憶部を有しており、被包部材の所定部位から少なくとも一部が露出した状態又は露出可能な状態で設けられた媒介手段を介して、前記閉鎖状態を維持したまま、前記独立記憶部から前記事項を確認することができる。従って、閉鎖状態を解除する手間及び確認後閉鎖状態に復帰させる手間を省略することができる。
【００３６】
手段１４．前記事項は、プログラム、データ及びアドレスの少なくとも１つを含んでいることを特徴とする手段１乃至１３のいずれかに記載の遊技機。ここで、プログラムとしては、例えば制御プログラム、設定プログラム等が挙げられる。特に、遊技内容とは無関係のプログラムとして、例えば確認用の設定プログラム等が挙げられる。また、データとしては、例えば、遊技に関するデータ、遊技機固有のデータ等が挙げられる。特に、遊技内容とは無関係のデータとして、遊技機に固有のＩＤデータが挙げられる。この場合、「前記データは、遊技機固有のＩＤデータであること」としてもよい。
【００３７】
手段１４によれば、プログラム、データ及びアドレスの少なくとも１つを確認するに際して上述の各作用効果が奏される。
【００３８】
手段１５．少なくとも遊技を司る機能を有する回路を備えてなる回路基板と、前記回路基板を被包した状態で閉鎖状態に維持可能な被包部材とを備え、前記回路基板は、少なくとも遊技内容とは無関係の事項を予め記憶してなる独立記憶部を有している遊技機において、前記閉鎖状態を維持したまま前記独立記憶部と外部確認装置との間での通信を許容するための通信端子を前記回路基板に設け、該通信端子の少なくとも一部が、前記被包部材の所定部位から露出した状態又は露出可能な状態となるよう構成したことを特徴とする遊技機。
【００３９】
手段１５によれば、少なくとも遊技を司る機能を有する回路を備えてなる回路基板を被包した状態で、被包部材が閉鎖状態に維持されうる。従って、回路や回路基板に不正を行いにくくすることができる。また、回路基板の独立記憶部には、少なくとも遊技内容とは無関係の事項が予め記憶されている。そして、確認作業に際しては、前記閉鎖状態を維持したまま、被包部材の所定部位から少なくとも一部が露出した状態又は露出可能な状態で設けられた通信端子を介して、独立記憶部と外部確認装置との間での通信が許容される。このため、回路を回路基板から取外し不能又は困難とするよう構成したとしても、或いは回路基板を被包部材から取外し不能又は困難とするよう構成したとしても、確認に支障が生じない。従って、かかる構成を採用することで、回路等が取り外されるという不正行為が抑制される。また、確認に際しては、閉鎖状態を解除する手間及び確認後閉鎖状態に復帰させる手間をかけることなく前記独立記憶部に記憶されている事項を確認することができる。なお、「前記閉鎖状態を維持したまま、かつ、電源を投入した状態（又は遊技状態）にあっても前記独立記憶部と外部確認装置との間での通信を許容するための通信端子」としてもよい。かかる構成とすることで、いちいち電源をオフ状態にすることなく、又は遊技状態中においても確認を行うことができる。このため、ホールコンピュータ（遊技場に設置された統括制御装置）側での管理・確認を営業中であっても行うことが可能となる。このことは、後述する手段２５においても同様である。
【００４０】
手段１６．先端に端子が設けられてなるフレキシブルな配線を具備可能となっているとともに、自身及び回路基板間での通信が許容されるか否かを少なくとも導出することができるよう構成されてなる外部確認装置の前記端子が、前記通信端子に対し接続可能となるよう構成されていることを特徴とする手段１５に記載の遊技機。
【００４１】
手段１６によれば、前記外部確認装置側の端子が通信端子に接続されうる。そして、この状態で、外部確認装置において、自身及び回路基板間での通信が許容されるか否かが少なくとも導出される。従って、外部確認装置の導出結果に基づいて、不正が行われたか否かについての判定を非常に簡易的に行うことができる。
【００４２】
手段１７．前記被包部材は略箱状をなし、かつ、前記通信端子は前記被包部材の側壁部分において露出した状態又は露出可能な状態で設けられていることを特徴とする手段１５又は１６に記載の遊技機。
【００４３】
手段１７によれば、検査等の確認に際しては、被包部材の側壁部分に露出する通信端子に対して外部確認装置側の端子を接続すればよい。ここで、被包部材が遊技機の背面側に設けられている場合であって、遊技機の表側から接続を行うような場合には、遊技機の背面側を視認することなく接続を行うことができることがあるため、この場合には通信端子への接続作業を非常に容易に行うことができる。また、被包部材の天壁部分を有効に活用することも可能となる。
【００４４】
手段１８．前記通信端子近傍には前記外部確認装置側の端子の接続が容易に行われるよう案内手段を設けたことを特徴とする手段１５乃至１７のいずれかに記載の遊技機。
【００４５】
手段１８によれば、案内手段によって、外部確認装置側の端子が位置ずれを起こしたりすることなく容易にかつ円滑に接続される。特に、案内手段が通信端子を囲むものであれば、通信端子の保護及び外部確認装置側の端子の接続の円滑化といった作用効果が併せて奏される。
【００４６】
手段１９．前記被包部材は、常には視認不能又は視認困難となるよう遊技面の裏面側の取付部材に取付けられているとともに、通信に際しては前記取付部材が一側を回動軸として開かれることによって、視認可能となるよう構成されており、かつ、前記通信端子は、前記回動軸とは反対側に設けられていることを特徴とする手段１５乃至１８のいずれかに記載の遊技機。
【００４７】
手段１９によれば、遊技面の裏面側の取付部材に取付けられた被包部材は、常には視認不能又は視認困難であって、通信に際しては前記取付部材が一側を回動軸として開かれることによって、視認可能となる。このとき、通信端子が、回動軸とは反対側に設けられているため、比較的少ない回動量（開き量）でもって、通信端子を視認することができ、接続作業を行うことができる。このため、通信を行うに際しての作業性の向上が図られることとなる。
【００４８】
手段２０．前記所定部位は、前記被包部材の略周辺部位であることを特徴とする手段１５乃至１９のいずれかに記載の遊技機。
【００４９】
手段２０によれば、通信端子が被包部材の略周辺部位に設けられるため、回路基板等の設計の自由度を阻害しにくい。また、被包部材と部分的に重複して別部材が配設される場合には、該別部材と通信端子とを離間させた配置構成としやすく、その結果、通信端子の少なくとも一部の露出状態を確保しやすくなる。
【００５０】
手段２１．他の装置及び前記被包部材の一部を異物から保護するための保護部材を配設するとともに、前記所定部位を前記保護部材の非配設部位としたことを特徴とする手段１５乃至２０のいずれかに記載の遊技機。
【００５１】
手段２１によれば、通信端子が保護部材から外れた部位に位置するため、検査等に際し保護部材が邪魔とならず、かつ、保護部材を取り外したりする必要もなくなる。そのため、保護部材の存在によって検査に手間が生じるという事態を回避することができる。
【００５２】
手段２２．前記被包部材は、前記通信端子とは別に遊技機に設けられた他の装置との間で通信を行うための接合端子を露出状態で有してなり、かつ、少なくとも該接合端子が前記保護部材で保護されるよう構成したことを特徴とする手段２１に記載の遊技機。
【００５３】
手段２２によれば、少なくとも他の装置との間で通信を行うための接合端子が保護部材で保護される。一方で、通信端子が保護部材から外れた部位に位置するため、検査に際し保護部材が邪魔とならず、しかも、前記接合端子の接合状態を解除する必要もない。
【００５４】
手段２３．前記通信端子は、露出状態となる部位を除いて前記被包部材に設けられた壁部材にて保護されていることを特徴とする手段１５乃至２２のいずれかに記載の遊技機。
【００５５】
手段２３によれば、壁部材の存在により通信端子が保護される。従って、異物等が当たったりすることによる損傷が極力抑制される。
【００５６】
手段２４．前記通信端子は、下方に開口するようにして設けられていることを特徴とする手段１５乃至２３のいずれかに記載の遊技機。
【００５７】
手段２４によれば、通信端子が下方に開口しているため、異物等が重力に逆らって移動しない限り、開口部から異物が侵入することがない。このため、異物の侵入に伴う不具合を回避することができる。
【００５８】
手段２５．少なくとも遊技を司る機能を有する回路を備えてなる回路基板と、前記回路基板を被包した状態で閉鎖状態に維持可能な被包部材とを備え、前記回路基板は、少なくとも遊技内容とは無関係の事項を予め記憶してなる独立記憶部を有している遊技機において、前記閉鎖状態を維持したまま前記独立記憶部と外部確認装置との間での通信を許容するための通信端子を前記被包部材とは別の離間部位に設けたことを特徴とする遊技機。
【００５９】
手段２５によれば、少なくとも遊技を司る機能を有する回路を備えてなる回路基板を被包した状態で、被包部材が閉鎖状態に維持されうる。従って、回路や回路基板に不正を行いにくくすることができる。また、回路基板の独立記憶部には、少なくとも遊技内容とは無関係の事項が予め記憶されている。そして、確認作業に際しては、前記閉鎖状態を維持したまま、被包部材とは別の離間部位に設けられた通信端子を介して、独立記憶部と外部確認装置との間での通信が許容される。このため、回路を回路基板から取外し不能又は困難とするよう構成したとしても、或いは回路基板を被包部材から取外し不能又は困難とするよう構成したとしても、確認に支障が生じない。従って、かかる構成を採用することで、回路等が取り外されるという不正行為が抑制される。また、確認に際しては、閉鎖状態を解除する手間及び確認後閉鎖状態に復帰させる手間をかけることなく前記独立記憶部に記憶されている事項を確認することができる。なお、「別の離間部位」に関して、第１に、「通信に際しては、通信端子の取付けられてなる取付部材（前枠等）が一側を回動軸として開かれることによって通信端子が視認可能となるよう構成されており、かつ、前記離間部位は、前記回動軸とは反対側であること」としてもよい。かかる構成とすることで、比較的少ない回動量（開き量）でもって、通信端子を視認することができ、接続作業を行うことができ、通信を行うに際しての作業性の向上を図ることができる。また第２に、「前記通信端子は、一側を回動軸として開かれることのある取付部材（前枠等）に設けられるとともに、前記離間部位は前記回動軸近傍であること」としてもよい。かかる構成とすることで、常に通信端子及び外部確認装置間を配線で接続させたままとしても、取付部材が開かれる場合に、配線が邪魔になってしまうことが起こりにくい。このため、電源を投入した状態（又は遊技状態）にあっても前記独立記憶部と外部確認装置との間での通信ができるよう構成されている場合に特に好都合となる。すなわち、外部確認装置をホールコンピュータとした場合には、該ホールコンピュータ側での管理・確認を営業中に行ったとしても、前記配線が邪魔になりにくい。
【００６０】
手段２６．前記独立記憶部と外部確認装置との間での通信を行わないときには、前記通信端子が外部からの影響を受けにくくなるよう前記通信端子を略非開口状態に維持し、通信を行うに際しては前記非開口状態を解除可能に構成したことを特徴とする手段１５乃至２５のいずれかに記載の遊技機。ここで、略非開口状態に維持する手段としては通信端子の開口部分に対応して設けられる蓋部材、シール部材、リブ部材、可動窓部材等が挙げられる。当該部材は、通信に際し取り外したり開いたりすることで、略非開口状態が解除され通信が可能となる。また、略非開口状態に維持する他の手段としては、被包部材とは別に遊技機側において通信端子の開口部分に相対して設けられる部材（例えばパチンコ遊技機にあっては外枠等）が挙げられる。当該部材は、通信に際し前記開口部分から相対離間することで、略非開口状態がいわば自動的に解除され通信が可能となる。
【００６１】
手段２６によれば、非検査状態にあっては通信端子が外部からの影響を受けにくくなるため、より確実に保護される。また、通信されない限りは通信端子が略非開口状態に維持されることとなるため、通信端子の経時劣化等を抑制することができ、実際に通信が行われる場合の接触不良等の不具合の防止が図られる。
【００６２】
手段２７．少なくとも遊技を司る機能を有する回路を備えてなる回路基板と、前記回路基板を被包した状態で閉鎖状態に維持可能な被包部材とを備え、前記回路基板は、少なくとも遊技内容とは無関係の事項を予め記憶してなる独立記憶部を有している遊技機において、前記閉鎖状態を維持したまま前記独立記憶部と外部確認装置との間で非接触で通信できるよう構成されていることを特徴とする遊技機。
【００６３】
手段２７によれば、少なくとも遊技を司る機能を有する回路を備えてなる回路基板を被包した状態で、被包部材が閉鎖状態に維持されうる。従って、回路や回路基板に不正を行いにくくすることができる。また、回路基板の独立記憶部には、少なくとも遊技内容とは無関係の事項が予め記憶されている。そして、確認作業に際しては、前記閉鎖状態を維持したまま、前記独立記憶部と外部確認装置との間で非接触で通信することができる。このため、閉鎖状態を解除する手間及び確認後閉鎖状態に復帰させる手間をかけることなく前記独立記憶部に記憶されている事項を確認することができる。
【００６４】
手段２８．前記事項は、プログラム、データ及びアドレスの少なくとも１つを含んでいることを特徴とする手段１５乃至２７のいずれかに記載の遊技機。ここで、プログラムとしては、例えば通信のための設定プログラム等が挙げられる。また、データとしては、例えば、遊技とは無関係の遊技機固有のデータ（ＩＤデータ）等が挙げられる。従って、「前記データは、遊技機固有のＩＤデータであること」としてもよい。
【００６５】
手段２８によれば、プログラム、データ及びアドレスの少なくとも１つの通信に際して上述の各作用効果が奏される。
【００６６】
手段２９．前記被包部材は、前記回路基板が外部から視認できるよう構成されていることを特徴とする手段１５乃至２８のいずれかに記載の遊技機。なお、上記構成としては、前記被包部材を透明又は半透明の素材で構成すること、或いは被包部材に、内部を視認することのできる窓部を設けること、等が挙げられる。
【００６７】
手段２９によれば、被包部材内の回路基板が外部から視認できるため、回路基板に関し不正が加えられた場合であって、それが外観上明らかである場合には、検査等を行うまでもなく不正を容易に発見することが可能となる。
【００６８】
手段３０．前記回路を内包するように封止体にて封止し、封止体には前記回路に接続される導電体の内端側を内包する一方、該導電体の外端側を封止体から露出させ、該導電体の外端側を基板側に接続することにより前記回路基板を構成するとともに、前記封止体は、その外形が表裏両面を他の面と比較して広域面とした肉薄平板状に形成されており、かつ、前記封止体は基板側へ接続したままでその表裏両面を視認し得る状態に配置したことを特徴とする手段２９に記載の遊技機。なお、回路の具体的な態様としては、例えばＣＰＵ、ＲＯＭ、ＲＡＭ等を含むＩＣチップなどが挙げられる。また、前記封止体としては樹脂又はセラミックによるパッケージが一般的であるが、他にもケース状のものや蓋状のものであってもよい。また、前記導電体としては例えばリードが挙げられ、前記導電体の外端側のうち封止体から露出した部位は例えばリードの一部であるピンが挙げられる。
【００６９】
手段３０によれば、手段２９の作用に加えて、回路が封止体に封止され、その封止体から露出された導電体が基板側に接続されているが、封止体は基板側への接続状態を維持したままでその表裏両面を視認し得る状態に配置されていることから、封止体の表面側のみならず裏面側の目視等による検査も可能となる。これにより、封止体の外観中、表面側を正規のものに真似つつ裏面側を粗悪に製作したものが従来の不正品として確認されることがあったが、そのような不正の発見が容易なものとなるとともに早期発見が可能となる。
【００７０】
手段３１．前記回路を内包するように封止体にて封止し、封止体には前記回路に接続される導電体の内端側を内包する一方、該導電体の外端側を封止体から露出させ、該導電体の外端側を基板側に接続することにより前記回路基板を構成するとともに、前記封止体を、前記回路及び導電体の全体を封止体外部より視認可能とすべく、透明又は半透明としたことを特徴とする手段２９又は３０に記載の遊技機。
【００７１】
手段３１によれば、遊技機の制御に関連性をもたせた回路及びそれに接続される導電体の内端側を、透明又は半透明な封止体で封止しているため、基板実装状態のままで、外部より回路が交換されていたり改変されていたり導電体との接続形態が変更されていたりといった状況を目視等によって確認することが可能となり、封止体の外観だけを真似た不正の発見が非常に容易になものとなるとともに早期発見が可能となる。これにより、間接的な側面より不正の防止に大きく寄与し得る。しかも、回路を表面側のみ真似て、その回路の裏面側に重複して不正回路を付加したような不正をも発見することが可能となり、ハード的な構成を一部でも変更（追加、削除を含む）すれば目視等で容易に発見することができ、不正の撲滅に一層貢献し得る。
【００７２】
手段３２．手段１５乃至３１のいずれかにおいて、前記回路基板は、遊技を司る機能を有する回路を備えてなる遊技制御基板の外に、遊技媒体（景品球や貸出球）を払出すための払出制御を司る回路を備えてなる払出制御基板、可変表示手段の表示制御を司る回路を備えてなる表示制御基板、音声報知手段の音声報知を司る回路を備えてなる音声制御手段、前記可変表示装置を除いたランプ等の周辺表示器の表示制御を司る回路を備えてなる周辺装置表示制御基板、遊技媒体を発射させる発射制御を司る回路を備えてなる発射制御基板の少なくとも１つを含んでいることを特徴とする遊技機。
【００７３】
手段３２によれば、制御対象に応じて個々に遊技制御基板等の各回路基板が備えられており、この場合、全ての回路基板に手段１５乃至３１のいずれかに記載のとおりの対策を講じれば、いずれの基板についての確認作業をも容易に行うことができる。勿論、少なくとも遊技制御基板についての被包部材において適用されればよく、好ましくは遊技制御基板及び払出制御基板についての被包部材において適用されていればよい。遊技制御基板について適用すべきとしたのは、かかる回路基板によって遊技媒体（景品球や貸出球）の払出が制御されるので、不正な遊技媒体の払出をより確実に抑制すべきだからである。
【００７４】
手段３３．手段１乃至３２のいずれかにおいて、遊技機はパチンコ遊技機であること。中でも、パチンコ遊技機の基本構成としては、操作ハンドルを備えていてそのハンドル操作に応じて遊技球を所定の遊技領域に発射させ、遊技球が遊技領域内の所定の位置に配置された作動口に入賞することを必要条件として可変表示装置において変動表示されている識別情報が所定時間後に確定停止されることが挙げられる。また、特別遊技状態発生時には遊技領域内の所定の位置に配置された可変入賞装置が所定の態様で開放されて遊技球を入賞可能とし、その入賞個数に応じた有価価値（景品球のみならず、磁気カードへの書き込み等も含む）が付与されることが挙げられる。なお、パチンコ遊技機にあっては、被包部材は遊技盤の背面側に配設される。
【００７５】
手段３４．手段１乃至３２のいずれかにおいて、遊技機は回胴式遊技機であること。ここで、回胴式遊技機の構成としては、「複数の識別情報からなる識別情報列（具体的にはリールであり、識別情報はリールに付されたシンボルである）を変動表示（具体的にはリールの回動である）した後に識別情報を確定表示する可変表示手段を備え、始動用操作手段（例えば操作レバー）の操作に起因して識別情報の変動が開始され、停止用操作手段（例えばストップボタン）の操作に起因して或いは所定時間経過することにより識別情報の変動が停止され、その停止時の確定識別情報が特定識別情報であることを必要条件として遊技者に有利な特別遊技状態を発生させる特別遊技状態発生手段を備えた回胴式遊技機」となる。なお、回胴式遊技機にあっては、被包部材は遊技機本体を画定する本体ボックス内に収納される。
【００７６】
手段３５．手段１乃至３２のいずれかにおいて、遊技機はパチンコ機とスロットマシンとを融合させた遊技機であること。中でも、前記融合させた遊技機の基本構成としては、「複数の識別情報からなる識別情報列（具体的にはリールであり、識別情報はリールに付されたシンボルである）を変動表示（具体的にはリールの回動である）した後に識別情報を確定表示する可変表示手段を備え、始動用操作手段（例えば操作レバー）の操作に起因して識別情報の変動が開始され、停止用操作手段（例えばストップボタン）の操作に起因して或いは所定時間経過することにより識別情報の変動が停止され、その停止時の確定識別情報が特定識別情報であることを必要条件として遊技者に有利な特別遊技状態を発生させる特別遊技状態発生手段とを備え、遊技媒体として遊技球を使用するとともに、前記識別情報の変動開始に際しては所定数の遊技球を必要とし、特別遊技状態の発生に際しては多くの遊技球が払い出されるよう構成されてなる遊技機」となる。なお、かかる遊技機にあっては、被包部材は遊技機本体を画定する本体ボックスを備えたものであればその本体ボックス内に収容され、本体ボックスを有しないものであれば遊技機背面側に配設される。
【発明の効果】
【００７７】
本発明によれば、不正行為の防止に貢献することができ、検査等の確認にかかる手間を簡略化して、確認作業を非常に容易なものとすることができるという効果がある。
【図面の簡単な説明】
【００７８】
【図１】一実施の形態におけるパチンコ機を示す斜視図である。
【図２】パチンコ機の遊技盤等を示す正面図である。
【図３】制御装置等への電源供給の流れ等を示す一種のブロック図である。
【図４】各種基板及び基板ボックス等を説明するためのパチンコ機の背面図である。
【図５】パチンコ機の背面側に取付けられた主基板の被包されてなる基板ボックスを示す正面図である。
【図６】パチンコ機の背面側に装着されている基板ボックスを下面側から見た状態を示す図である。
【図７】基板ボックスの断面図である。
【図８】ＩＣパッケージを示す斜視図である。
【図９】ＩＣチップの電気的構成等を説明するブロック図である。
【図１０】封印手段を拡大して示す部分断面図である。
【図１１】別の実施の形態における封印手段を拡大して示す部分断面図である。
【図１２】別の実施の形態における基板ボックスの配置状態等を説明するためのパチンコ機の背面図である。
【図１３】別の実施の形態におけるパチンコ機の模式的な断面図である。
【図１４】別の実施の形態において、（ａ）は基板ボックスを下面側から見た状態を示す図であり、（ｂ）は基板ボックスの正面図である。
【図１５】別の実施の形態において、（ａ）は基板ボックスを下面側から見た状態を示す図であり、（ｂ）は基板ボックスの正面図である。
【発明を実施するための形態】
【００７９】
以下に、遊技機の一種であるパチンコ遊技機（以下、単に「パチンコ機」という）についての一実施の形態を、図面に基づいて詳細に説明する。
【００８０】
図１に示すように、パチンコ機の外形を構成する外枠１には前枠２が一側の回動軸を中心に回動可能に装着されている。同図では前枠２は閉じた状態にある。前枠２には、遊技盤３（図２参照）、遊技盤３の前方に設けられガラス板４ａを有してなるガラス扉枠４、上皿５、下皿６、ハンドル７等が装着されている。上皿５の側方であって、前枠２の内部にはスピーカ８が埋設されている。スピーカ８は、遊技の進行に伴い種々の効果音を鳴らしたり、遊技者に遊技状態を音声にて報知する。前記遊技盤３の後部には機構盤が配設されている。
【００８１】
次に、遊技盤３の遊技面上の構成について説明する。図２に示すように、遊技盤３には、作動口ユニット１１及び大入賞口ユニット１２が設けられている。作動口ユニット１１は、遊技媒体としての遊技球Ｂが入賞したり通過する作動口１１ａ及び作動ゲート１１ｂを備えており、その作動口１１ａの入口には羽根１３が開閉可能に支持されている。
【００８２】
また、大入賞口ユニット１２は、大入賞口１２ａ及びシャッタ１４を備えている。シャッタ１４は、大入賞口１２ａの側部に設けられた図示しない大入賞口用ソレノイドにより作動させられ、大入賞口１２ａを開閉する。詳しくは、当該ソレノイドが励磁状態となることにより、シャッタ１４が略水平に傾き、これにより大入賞口１２ａが開かれる。また、ソレノイドが非励磁状態となることにより、シャッタ１４が略垂直状態となり、これにより大入賞口１２ａは閉鎖される。
【００８３】
さらに、遊技盤３の側部には、一般入賞口ユニット１５，１６，１７，１８が設けられている。一般入賞口ユニット１５〜１８は、一般入賞口１５ａ，１６ａ，１７ａ，１８ａを備えている。
【００８４】
遊技盤３の中央部分（大入賞口ユニット１２の上方）には、特別図柄表示装置（以下、単に「表示装置」という）１９が組込まれている。表示装置１９は、液晶ディスプレイ（ＬＣＤ）よりなる表示部１９ａを備えており、ここに複数の（例えば３つの）図柄列が表示される。図柄列は、基本的には、複数種類の図柄によって構成されている。これらの図柄は、特別遊技図柄としての大当たり図柄、外れリーチ図柄及び外れ図柄のいずれかになりうる。
【００８５】
表示装置１９の表示部１９ａでは、各図柄列の図柄変動（回転変動）が、遊技球Ｂの作動口１１ａへの入賞に基づいて開始させられる。また、大当たり図柄、外れリーチ図柄、外れ図柄の中から１つが選択され、これが停止図柄として設定される。停止図柄とは、各図柄列が図柄変動を停止したときに表示される図柄である。
【００８６】
大当たり図柄は、いわゆるリーチ状態を経た後、遊技者に有利な大当たり状態を発生させるための図柄である。詳しくは、全ての図柄列の変動が停止させられたとき、表示されている図柄の組合せが、予め定められた大当たりの組合せ、すなわち、同一種類の図柄が大当たりラインに沿って並んでいるときの同図柄の組合せ（例えば、「７」、「７」、「７」の図柄）となる場合がある。この組合せを構成する図柄が「大当たり図柄」である。大当たりの組合せが成立すると、大入賞口１２ａが開かれ、遊技者にとって有利な大当たり状態の到来、すなわち、より多くの景品球を獲得することが可能となる。
【００８７】
表示装置１９において、表示部１９ａの上方には、発光ダイオード（ＬＥＤ）からなる保留ランプ２１ａ，２１ｂ，２１ｃ，２１ｄが組み込まれている。保留ランプ２１ａ〜２１ｄは、基本的には作動口１１ａへの入賞に基づく変動表示の保留毎に点灯させられ、その保留に対応した変動表示の実行に伴い消灯させられる。
【００８８】
また、表示装置１９の上部には、ＬＥＤよりなる７セグ表示部２２が設けられている。さらに、前記表示装置２２の左右両側方には一対の通過ゲート２３ａ，２４ａを備えた通過ゲートユニット２３，２４が配設されている。同通過ゲート２３ａ，２４ａを遊技球Ｂが通過することに基づいて、前記７セグ表示部２２が作動する。本実施の形態では、７セグ表示部２２は、「０」から「９」までの数字を可変表示する。そして、その数字が所定値（本実施の形態では「７」）で停止することに基づいて、作動口ユニット１１の羽根１３が所定秒数開放するようになっている。この開放により、作動口１１ａへの入賞が比較的容易なものとなる。７セグ表示部２２の周辺近傍においては、遊技球Ｂの通過ゲート２３ａ，２４ａの通過回数が４回まで記憶表示され、図示しない４つの保留ランプでその保留数が表示される。
【００８９】
また、遊技盤３の複数箇所には、遊技効果を高めるための各種ランプ等の他の役物が取付けられている（ランプ風車、コーナー飾り等）。
【００９０】
本実施の形態では、遊技者の操作に応じて変化するパチンコ機の遊技状態を検出するべく、遊技盤３には、遊技球Ｂの入賞を検出するための種々の検出スイッチが取付けられている。より詳しくは、作動ゲート１１ｂには、作動ゲート用スイッチ３１が設けられている。また、作動口１１ａ近傍には作動口用スイッチ３２が設けられている。本実施の形態では、作動口用スイッチ３２にて遊技球Ｂの入賞が検出された場合、遊技者に対し、１入賞あたり５個の景品球が払い出されるようになっている。
【００９１】
また、大入賞口１２ａ近傍には、２つの大入賞口用スイッチ３３，３４が設けられている。シャッタ１４の内側面には、逆ハの字状をなす図示しない案内レールが一体形成されており、該案内レールにより、大入賞口１２ａに入賞した入賞球は円滑に、かつ、速やかにいずれかの大入賞口用スイッチ３３，３４を通過しうる。本実施の形態では、大入賞口用スイッチ３３，３４にて遊技球Ｂの入賞が検出された場合、遊技者に対し、１入賞あたり１５個の景品球が払い出されるようになっている。さらに、一般入賞口１５ａ〜１８ａ近傍には、一般入賞口用スイッチ３５，３６，３７，３８が設けられている。本実施の形態では、一般入賞口用スイッチ３５〜３８にて遊技球Ｂの入賞が検出された場合、遊技者に対し、１入賞あたり１０個の景品球が払い出されるようになっている。なお、上記景品球の払い出し数（「５個」又は「１０個」又は「１５個」）に関する数値はあくまでも例示であって、上記数値に何ら限定されるものではない。従って、例えば「６個」「７個」「１１個」「１２個」「１３個」「１４個」「１６個」或いはそれ以上（例えば「２５個」）等の数値を採用しても何ら差し支えない。併せて、通過ゲート２３，２４には、通過ゲート用スイッチ３９，４０が設けられている。
【００９２】
そして、これらスイッチ３１〜４０により、遊技球Ｂの作動ゲート１１ｂの通過や作動口１１ａへの入賞、大入賞口１２ａへの入賞、或いは一般入賞口１５ａ〜１８ａへの入賞や、通過ゲート２３ａ，２４ａの通過等が検出される。また、各スイッチ３２〜３８の検出結果に基づき、図示しない景品球払出装置等の駆動制御が導出されるようになっている。景品球払出装置等は、パルスモータを備えており、該モータが駆動させられることにより、タンク６４（図４参照）等に貯留されている景品球（遊技球Ｂ）が、払い出し通路を通って、上皿５（又は下皿６）へと払い出されるようになっている。
【００９３】
本実施の形態では、上記各スイッチ３１〜４０の検出結果に基づき、各種ソレノイドや、表示装置１９、各保留ランプ２１ａ〜２１ｄ、各種ランプ、スピーカ８、パルスモータ等の各種外部装置をそれぞれ駆動制御するために制御装置５０が設けられている。制御装置５０は、図３，４に示すように、主基板（回路基板、制御基板、遊技制御基板を構成する）５１、払出制御基板５２、図柄表示装置制御基板５３、音声制御基板５４、ランプ制御基板５５及び発射制御基板５６等を備えており、これらは例えばそれぞれ透明樹脂等よりなる被包部材を構成する基板ボックス（例えば５１Ｂ，５２Ｂ，５６Ｂ）内に収容されている。
【００９４】
前記遊技盤３の後部に設けられた機構盤の上部には、主たる電源（電源電圧）が供給される電源スイッチ基板６１が設けられているとともに、機構盤の下部には、前記電源スイッチ基板６１からの電源を適宜供給するための電源分配基板６２が設けられている。前記主基板５１の基板ボックス５１Ｂは、機構盤の後部において、前記表示装置１９の背面側に設けられた図柄表示装置制御基板５３の下方に設けられている。図４に示すように、機構盤には、表示装置１９を覆うようにして樹脂製の保護部材としての保護カバー６３が装着されており、これにより、上部のタンク６４等から落下してくる遊技球Ｂ等から表示装置１９及び図柄表示装置制御基板５３が保護されるようになっている。そして、主基板５１の基板ボックス５１Ｂの大部分は、前記保護カバー６３からはみ出すようにして横長に配置されている（これについては後述する）。
【００９５】
また、払出制御基板５２は、前記主基板５１の側方に設けられている。当該主基板５１及び払出制御基板５２には、前記電源分配基板６２からの分配された電源電圧がそれぞれ印加（供給）される。また、これとともに、図柄表示装置制御基板５３、音声制御基板５４及びランプ制御基板５５には、主基板５１からの電源電圧がそれぞれ供給される。さらに、発射制御基板５６には、前記払出制御基板５２からの電源電圧が供給されるようになっている。景品球払出装置は、払出制御基板５２からの出力信号に基づいて駆動制御されるようになっている。なお、電源スイッチ基板６１に隣接して、情報端子６５が設けられている。該情報端子６５からホールコンピュータや外部のカウント表示装置等へ当該パチンコ機における各種遊技情報（例えば本日の大当たり回数、図柄の変動回数、出玉に関する情報等）が出力されるようになっている。
【００９６】
主基板５１、払出制御基板５２をはじめとする各種基板には、制御用のＩＣパッケージが実装されている。ここで、図８に示すように、基板ボックス５１Ｂ内の主基板５１に実装されるＩＣパッケージ７１は、回路、制御手段を構成するＩＣチップ７２と、複数本のリード７３と、これらを封止する封止体７４とによって構成されており、リード７３が主基板５１に対しハンダ接合により実装されている（ハンダは固着手段を構成する）。本実施の形態では、このようにリード７３が主基板５１に対し強固に固着されていることで、ＩＣパッケージ７１が主基板５１から取外し不能又は困難となっており、ＩＣパッケージ７１の取外し、交換による不正行為の抑制が図られている。もちろん、主基板５１に設けられた図示しないソケット等の「中間部材」を介して装着される構成としてもよい。
【００９７】
本実施の形態において、ＩＣチップ７２は、リード７３の大部分とともに封止体７４にてパッケージングされている。封止体７４は透明なエポキシ樹脂材料によって構成されている。これにより、ＩＣチップ７２及びリード７３は、外部から透視可能となっている。なお、リード７３とＩＣチップ７２とはワイヤでボンディングされることにより電気的な導通が可能となっている。また、ＩＣパッケージ７１は、ＺＩＰ（Ｚｉｇ−ｚａｇ  Ｉｎｌｉｎｅ  Ｐａｃｋａｇｅ）構造を有している。すなわち、ＩＣパッケージ７１は、リード７３の引出面（リード７３が外部に突出している面）が封止体７４の１側面であるいわゆる縦型タイプである。これにより、封止体７４が表裏両面から視認可能となっている。また特に、本実施の形態の封止体７４は透明であるため、その内部のＩＣチップ７２及びリード７３についても表裏両面から視認可能となっている。
【００９８】
また、特に、本実施の形態ではＩＣパッケージ７１の周辺には、プリント配線等を除いて主基板５１上にほぼ何も配設されていない。これにより、ＩＣパッケージ７１をより一層視認しやすくなっている。この場合、「回路、制御手段の周辺において、視認を阻害する他部材の配設を規制したこと」が特徴点となる。なお、ＩＣパッケージ７１の視認をより容易ならしめるべく、照明手段、ミラー、或いはレンズ（いずれも図示せず）等の「視認補助手段」を設けることとしてもよい。
【００９９】
さらに、上記ＩＣパッケージ７１に関しては、ＺＩＰ構造の中でもリード７３間のピッチが狭く、かつ、特殊なＳＺＩＰ（Ｓｈｒｉｎｋ  Ｚｉｇ−ｚａｇ  Ｉｎｌｉｎｅ  Ｐａｃｋａｇｅ）構造が採用されている。すなわち、上記ＳＺＩＰ構造におけるリード７３間のピッチは、例えば０．８２ｍｍに設定されている。
【０１００】
さて、図９は、ＩＣチップ７２の電気的構成を示すブロック図である。同図に示すように、ＩＣチップ７２には、中央処理装置（ＣＰＵ）８１を中心して、プログラムＲＯＭ８２、ＨＷパラメータ８３、ユーザワークＲＡＭ８４、内部Ｉ／Ｏブロック８５、Ｉ／Ｏポート８６等が備えられており、これらは互いにバス８７によって接続されている。また、これらはバスモニタ８８を介して管理ブロック８９に接続されている。
【０１０１】
本実施の形態においてプログラムＲＯＭ８２は、光学的作用による書換不能であり、かつ、不揮発性の記憶部であるＥＥＰＲＯＭ（Ｅｌｅｃｔｒｉｃａｌｌｙ
Ｅｒａｓａｂｌｅ  ａｎｄ  Ｐｒｏｇｒａｍｍａｂｌｅ  ＲＯＭ）により構成され、ここに所定の制御プログラムや初期データが予め記憶されている。ＣＰＵ８１は、Ｉ／Ｏポート８６を介して入力されてくる各種信号等に基づき前記プログラムＲＯＭ８２の制御プログラム等に従って各種演算処理を実行する。ＨＷパラメータ８３もＥＥＰＲＯＭによって構成され、クロック等に関する各種設定事項等が記憶されている。ユーザワークＲＡＭ８４はＣＰＵ８１による演算結果等の各種データを一時的に記憶するようになっている。また、ユーザワークＲＡＭ８４の所定の端子にはコンデンサが接続され、これにより停電時等におけるデータバックアップが可能となっている。内部Ｉ／Ｏブロック８５は、カウンタ・タイマ、割込みコントローラ及び高速ＨＷカウンタ等の機能ブロックにより構成されている。
【０１０２】
さらに、バスモニタ８８は、ＣＰＵ８１の演算データ等を管理ブロック８９へ出力する。管理ブロック８９は、独立記憶部を構成し、検査ポート９１並びにミラードＲＡＭ９２、ステータスＲＡＭ９３及びＩＤ用ＲＡＭ９４等を備えている。
【０１０３】
検査ポート９１は書込みエラーやシーケンス異常等を検出可能となっており、ミラードＲＡＭ９２はユーザワークＲＡＭ８４のデータをミラーリング（複写）するものである。
【０１０４】
また、ステータスＲＡＭ９３には、ＨＷパラメータ８３の設定事項等の各種設定事項や各種状態が書き込まれる。すなわち、ステータスＲＡＭ９３の所定ステータスには、予め設定されている各種の状態が随時指定されたアドレスに書き込まれ、指定アドレスの各種状態を示すデータは、検査ポートから随時読み出すことができるようになっている。
【０１０５】
書き込まれるデータとしては、例えば次のようなものが挙げられる。
【０１０６】
（１）遊技球Ｂの作動口１１ａへの入賞に基づく記憶個数や、遊技球Ｂの通過ゲート２３ａ，２４ａの通過に基づく記憶個数、すなわち、表示装置１９の表示部１９ａにおける図柄の変動表示分の記憶回数や、７セグ表示部２２における普通図柄の変動表示分の記憶回数。換言すれば「前記独立記憶部には、遊技状態に関連する数値、状態及び情報に関する事項が含まれており、当該事項には図柄変動表示装置の変動回数や、変動記憶に関する情報が含まれていること」が特徴点となる。
【０１０７】
（２）表示装置１９の表示部１９ａにおける図柄の状態（変動中或いは停止中）や、７セグ表示部２２における普通図柄の状態（変動中或いは停止中）。換言すれば「前記独立記憶部には、遊技状態に関連する数値、状態及び情報に関する事項が含まれており、当該事項には図柄の状態に関する情報が含まれていること」が特徴点となる。
【０１０８】
（３）大入賞口１２ａ用のシャッタ１４（大入賞口用ソレノイド）や、作動口１１ａ用の羽根１３（ソレノイド）の作動状態（開閉状態）；もちろん、他の役物（例えば大羽根等の第２種特別電動役物と称される役物を有するタイプの遊技機にあっては当該役物）の作動状態にも適用可能である。換言すれば「前記独立記憶部には、遊技状態に関連する数値、状態及び情報に関する事項が含まれており、当該事項には変動（入賞）装置の作動状態が含まれていること」が特徴点となる。
【０１０９】
（４）作動口１１ａへの入賞、大入賞口１２ａへの入賞、或いは一般入賞口１５ａ〜１８ａへの入賞や、通過ゲート２３ａ，２４ａの通過等の検出情報或いは各種入賞に伴う払出個数情報。換言すれば「前記独立記憶部には、遊技状態に関連する数値、状態及び情報に関する事項が含まれており、当該事項には遊技媒体の入賞、通過情報、或いは遊技媒体の払出情報が含まれていること」が特徴点となる。
【０１１０】
（５）前枠２やガラス扉枠４の開閉等に関する外部情報。換言すれば「前記独立記憶部には、遊技状態に関連する数値、状態及び情報に関する事項が含まれており、当該事項には遊技機を構成する枠体及び板体のうち少なくとも１つの開閉状況を含む外部情報が含まれていること」が特徴点となる。
【０１１１】
（６）特定の動作（例えばセット動作）を行った場合や電源投入後所定期間のみの特定情報。「前記独立記憶部には、遊技状態に関連する数値、状態及び情報に関する事項が含まれており、当該事項には特殊な設定を施した場合の特定情報が含まれていること」が特徴点となる。
【０１１２】
これらの数値、状態、情報等は、例えばビット対応で特定番地に設定することで、所定ステータスの指定アドレスに随時書き込まれ、書き込まれたデータが、検査ポートから随時読み出される。これにより、パチンコ機の動作中、つまり遊技中であっても状態等を把握することが可能となる。
【０１１３】
従って、例えば後述する検査を行うに際し、パチンコ機を動作させたままの状態で、作動口１１ａ等に遊技球Ｂを所定個数入賞させる等して、保留ランプ２１ａ〜２１ｄの点灯状態と、読み出したデータとを比較したりすることで、管理ブロック８９、ひいてはＩＣパッケージ７１（ＩＣチップ７２）が正常に動作しているか否か、特に、ＣＰＵ、ＣＰＵの入出力、周辺基板等との動的組合せが正常に機能しているか否かをきわめて簡易に判定することができる。
【０１１４】
なお、これらの数値、状態、情報等を、異種遊技機（パチンコ機）間で統一規格化して同型の所定ステータスに書き込み（記憶させ）、随時読み出し可能とすることとしてもよい。かかる構成とすることで、異種遊技機同士において随時検査等が可能となるというメリットが生ずる。この場合、「異種遊技機毎に、記憶部の所定部位に、遊技状態に関する数値、状態、情報のうちの少なくとも１つを、統一規格化して記憶させ、随時読み出し可能としたことを特徴とする把握管理システム」が特徴点となる。
【０１１５】
さらに、ＩＤ用ＲＡＭ９４には、ＩＣチップ７２固有の（パチンコ機固有の）データ（ＩＤデータ）としてのＩＤコードが書き込まれている。ＩＤコードには、メーカ側で設定されたＩＤコード、機種に対応したＩＤコード等の遊技内容とは無関係のデータが含まれる。
【０１１６】
次に、基板ボックス５１Ｂについて説明する。図５，６，７に示すように、前記主基板５１が被包されてなる基板ボックス５１Ｂは、略箱状をなし、ボックス本体１０１と、そのボックス本体１０１に覆設されるボックス蓋体１０２とを備えている。ここで、「被包」とあるのは、主基板５１を外部から遮断するべく、カバーすること、覆うこと、被せ包むこと等を含んでおり、外部から完全に遮断されている場合のみならず、部分的に露出している場合をも含む趣旨である。また、基板ボックス５１Ｂは、上記例のように２つの部材１０１，１０２で構成される場合以外にも単一の部材によって構成されていてもよいし、３つ以上の部材によって構成されていてもよい。また、「被包」する材質は、破壊困難な剛体により構成されていることが望ましいが、部分的に柔軟な素材が含まれていたとしても差し支えない。
【０１１７】
ボックス本体１０１には、前記主基板５１が固定されている。そして、該主基板５１を覆うようにしてボックス蓋体１０２が取着固定されている。より詳しくは、ボックス本体１０１及びボックス蓋体１０２の一側部には、相互に係合可能なヒンジ機構１０３が設けられており、該ヒンジ機構１０３にて両者の係合及び位置合わせ等が行われるようになっている（図５，６参照）。上述したように、ボックス本体１０１及びボックス蓋体１０２は透明な樹脂材料により構成されており、内部の主基板５１、特に、ＩＣパッケージ７１を容易に外部から視認できるようになっている。
【０１１８】
また、ヒンジ機構１０３を除く部位において基板ボックス５１Ｂのほぼ四隅部には、封印手段１０４が設けられている。図１０に示すように、封印手段１０４は、ボックス本体１０１から突出するよう形成された本体側封印部１０５と、ボックス蓋体１０２から突出するよう形成された蓋体側封印部１０６とを備えている。本体側封印部１０５には上部の開口する凹部１０７が形成されているとともに、その付け根部分において係合溝１０８が形成されている。一方、蓋体側封印部１０６には前記凹部１０７に対応するようにして段差部を有してなる透孔１０９が形成されているとともに、その付け根部分において係合突起１１０が形成されている。但し、係合溝１０８及び係合突起１１０は、少なくとも前記凹部１０７の直径よりも長く形成されている。
【０１１９】
そして、ボックス本体１０１に主基板５１がセットされた状態でボックス蓋体１０２が接合され、このとき係合溝１０８に係合突起１１０が係合されることで、凹部１０７及び透孔１０９がそれぞれ位置合わせされる。さらに、この位置合わせ状態で、凹部１０７及び透孔１０９内に接着剤が流し込まれ、その状態で樹脂製の係止ピン１１１が凹部１０７及び透孔１０９に嵌め込まれている。これにより、本体側封印部１０５と蓋体側封印部１０６とが相互に固定され、基板ボックス５１Ｂが封印状態に維持されている。従って、このように一旦封印されてしまうと、該封印手段１０４を破壊することなく開封することができないようになっている。換言すれば、ボックス本体１０１からボックス蓋体１０２を開封しようとした場合には、本体側封印部１０５及び蓋体側封印部１０６の付け根の括れ部分をニッパ等で切断しなければ、開封できないように構成されている。なお、上述した係合溝１０８及び係合突起１１０の存在により、段差が形成されることから、流動状態にある接着剤が本体側封印部１０５及び蓋体側封印部１０６の接合面を伝って基板ボックス５１Ｂ内部の主基板５１側へ漏出するといった事態が防止されるようになっている。
【０１２０】
図５及び図７において、主基板５１の側部（パチンコ機の裏面側から見て上部）には、接合端子を構成する複数のソケット１１２が設けられており、該ソケット１１２は前記ＩＣパッケージ７１内のＩＣチップ７２のＩ／Ｏポート８６と電気的に接続されている。各ソケット１１２は、基板ボックス５１Ｂから露出した状態となっており、ここに、「他の装置」を構成する他の基板（例えば図柄表示装置制御基板５３、音声制御基板５４、ランプ制御基板５５等）や各種外部装置（例えばソレノイドや検出スイッチ）等から延びるコネクタが接続されている。但し、該ソケット１１２部分は、前述した保護カバー６３で被覆されている（図４参照）。これにより、タンク６４等からの遊技球Ｂの落下等から、ソケット１１２やコネクタが保護されるようになっている。また、ソケット１１２やコネクタが保護カバー６３で保護されていることから、検出スイッチと主基板５１との間、或いは、主基板５１と図柄表示装置制御基板との間に、不正な基板をぶら下げて（「ぶら下げ基板」を取付けて）、不当に特別遊技状態を発生させるといった、いわゆる「ぶら下げ」と称される不正行為の抑制をも図ることができるようになっている。
【０１２１】
さらに、基板ボックス５１Ｂの下端部に対応して、媒介手段、通信端子を構成するモジュラージャック１１３が設けられている。該モジュラージャック１１３は主基板５１に実装されており、前記ＩＣパッケージ７１内のＩＣチップ７２の管理ブロック８９に対し主基板５１上のプリント配線、リード７３等を介して電気的に接続されている。モジュラージャック１１３は、基板ボックス５１Ｂの下方に向けて一端が露出した状態で開口しており、そこに図９に示すような外部確認装置を構成する外部リーダ１２１のコネクタ１２２が差し込まれるようになっている。かかる構成により、基板ボックス５１Ｂには、モジュラージャック１１３が設けられることに伴う開口が設けられることとなる。なお、本実施の形態において、モジュラージャック１１３は、ＩＣパッケージ７１の近傍に設けられており、これにより、検査時のノイズの低減が図られている。
【０１２２】
外部リーダ１２１は、本実施の形態におけるシステムに関して専用のものであって、その本体部分は操作用のキー１２３及び表示部１２４を備えている。また、本体部分からは先端に前記コネクタ１２２の設けられてなるフレキシブルなコード１２５が延びており、前記コネクタ１２２がモジュラージャック１１３に差し込まれることで、外部リーダ１２１及び管理ブロック８９間での通信が許容されるようになっている。例えば、コネクタ１２２をモジュラージャック１１３に差し込んだ上で所定のキー操作を行うことで、ＩＤ用ＲＡＭ９４に書き込まれたＩＣチップ７２固有のＩＤコードが読み出され、それが表示部１２４に表示されるようになっている。また、例えばＩＤコードを入力した上で、さらに所定のキー操作を行うことで、ミラードＲＡＭ９２に書き込まれたユーザワークＲＡＭ８４のデータや、或いは、ステータスＲＡＭ９３に書き込まれたＨＷパラメータ８３の設定事項等が読み出され、それらが表示部１２４に適宜表示されるようになっている。
【０１２３】
また、万一ＩＣパッケージ７１やＩＣチップ７２が不正に交換されたような場合には、（１）外部リーダ１２１と管理ブロック８９との間で通信そのものができないこと、（２）また、仮に通信ができたとしても、ＩＤコードが表示されないこと、各種データや設定事項を読み出すことができないこと等から、不正行為を容易に発見することができるようになっている。特に、上記（１）に関しては、外部リーダ１２１が、管理ブロック８９との間で通信可能か否かをテストできる一種のテスタとしての役割が果たされることとなり、極めて簡易に不正行為のチェックを行うことができる。
【０１２４】
本実施の形態において、前記モジュラージャック１１３は、パチンコ機の裏面側からみて基板ボックス５１Ｂの周辺部分、特に、下端部に設けられており、上述した保護カバー６３からはみ出した位置に存在している。このため、保護カバー６３や基板ボックス５１Ｂを機構板から取り外したりすることなく、上記設置状態のまま、コネクタ１２２を差し込んで外部リーダ１２１との間で通信を行うことができる。もちろん、このときには基板ボックス５１Ｂを開封したりする必要がなく、さらには、管理ブロック８９の設けられてなるＩＣパッケージ７１（ＩＣチップ７２）を取り外す必要もない。この場合、「前記制御手段（回路）を制御基板（回路基板）から取り外すことなく、前記事項を外部から確認可能としたこと」、「前記制御手段（回路）を遊技機から取り外すことなく、前記事項を外部から確認可能としたこと」、「前記制御基板（回路基板）を遊技機から取り外すことなく、前記事項を外部から確認可能としたこと」、「前記被包部材を遊技機から取り外すことなく、前記事項を外部から確認可能としたこと」、「前記被包部材の閉鎖状態を維持したまま、前記事項を外部から確認可能としたこと」が特徴点となる。
【０１２５】
また、パチンコ機の外周側にモジュラージャック１１３が設けられているため、コネクタ１２２の接続作業を行いやすくなるとともに、検査等の確認作業に際し、コード１２５が邪魔になりにくいというメリットもある。この場合、「媒介手段又は通信端子を遊技機の外周側に設けたこと」が特徴点となる。
【０１２６】
なお、上記例では、いわゆる検査時において、外部リーダ１２１のコネクタ１２２をモジュラージャック１１３に差し込むように構成されている。すなわち、ホール（遊技場）の非営業時において、電源が投入されていない状態で検査が行われるようになっているが、電源が投入された状態下であっても検査可能な構成としてもよい。このように構成すれば、ホールの営業中、特に、遊技中においても検査等を行うことができる。例えば、上記例におけるコネクタ１２２に代えて、外部確認装置としてのホールコンピュータ側の端子を差し込むことで通信（検査等の確認）を行うことができるような構成としてもよい。この場合、ホールコンピュータ側の端子は、常時モジュラージャック１１３に接続されていることが好ましい。このような構成とすることで、不正が行われたりしない限り、随時通信が可能となり、遊技中においても確認を行うことができるという点でメリットがある。さらには、不正の検査のみならず、ホールコンピュータ側で随時パチンコ機のデータ等を管理できるというメリットもある。
【０１２７】
なお、モジュラージャック１１３に常時外部確認装置側の端子を接続したままにしておくような場合には、モジュラージャック１１３を前枠２の回動軸側（回動軸近傍）に設けることが望ましい。このように構成すれば、前枠２が開かれる場合（ホール関係者が球詰まり等を解消したり、パチンコ機内部を点検するために前枠２を開放するような場合）に、配線が比較的短くて済むとともに、配線の移動が少なくて済み、配線が邪魔になってしまうといった事態を回避することができる。
【０１２８】
かかる別例にもあるとおり、モジュラージャック１１３は、必ずしも主基板５１に（直接的に）実装されている必要はない。つまり、主基板５１以外の基板ボックス５１Ｂの所定部位に設けてもよいし（この場合、主基板５１及びモジュラージャック１１３間は、配線等で通信可能となっている必要がある）、或いは、基板ボックス５１Ｂから離間した部位に設けてもよい。この場合、「制御基板に対し間接的に設けたこと」が特徴点となる。基板ボックス５１Ｂから離間した部位としては、上記別例の如く、前枠２の回動軸近傍を例示することができる。特に、図４のような配置例においては、払出制御基板５２や、電源スイッチ基板６１に実装することが好ましい。特に、電源スイッチ基板６１に設ける場合には、該基板６１からは元来少なくとも電源用の配線が延びており、かかる配線に付随させて外部確認装置から延びる配線をも付設することが可能となる。このため、別途配線が増えることによる不具合を抑制することができるという点でメリットは大きい。しかも、電源スイッチ基板６１は、元々主基板５１に電気的に接続されているため、場合によっては別途の信号線を配設しなくても済むという効果もある。
【０１２９】
また、モジュラージャック１１３は、その開口部以外についてはボックス蓋体１０２及び周壁１１４で覆われている。このため、モジュラージャック１１３については上記保護カバー６３で覆われてはいないものの、タンク６４等から落下してくる遊技球Ｂやゴミ等の異物が当たったり、入ったりしにくいようになっている。特に、モジュラージャック１１３は下端側に開口しているため、異物等が重力に逆らった動きをしない限り開口部から侵入することはない。そのため、遊技球Ｂのみならず、ゴミやホコリ等の異物の侵入による不具合をも確実に回避できる。
【０１３０】
ところで、モジュラージャック１１３の前記開口部にシール部材や蓋部材、或いは檻状のリブ等を設けておくこととしてもよい。或いは、開口部にスライド、或いは開閉可能な可動窓部材を設けることとしてもよい。このように構成することで、開口部からの異物の侵入をより一層確実に規制することができるとともに、モジュラージャック１１３の主要部が経時的に劣化しにくくなり、製造から長期間経過した場合でも、適切な検査を実行することができる。また、この場合、検査に際してはシール部材や蓋部材等を切断、剥離等によって取り外すことで、或いは、窓部材を開くことで、検査を行うことが可能となる。
【０１３１】
以上説明したように、本実施の形態によれば、基板ボックス５１Ｂの下端部に、ＩＣパッケージ７１内のＩＣチップ７２の管理ブロック８９に対し電気的に接続されたモジュラージャック１１３を設けることとした。そして、検査に際しては、該モジュラージャック１１３に対し外部リーダ１２１のコネクタ１２２が差し込まれることで、管理ブロック８９及び外部リーダ１２１間での通信が許容されうる。このため、万一ＩＣパッケージ７１やＩＣチップ７２が不正に交換されたような場合には、外部リーダ１２１と管理ブロック８９との間で通信そのものができないこと等に基づいて、不正行為が容易に発見される。かかる検査に際し、基板ボックスの封印状態を解除した上でＲＯＭ等を取り外して検査が行われていた従来技術とは異なり、基板ボックス５１Ｂの封印状態を解除することなく、しかも基板ボックス５１Ｂが設置された状態のままで検査を行うことができる。従って、検査に要する手間を著しく簡略化することができ、容易に検査（確認）作業を行うことができる。そのため、巧妙な不正に対してもその発見を非常に容易なものとすることができ、結果として、間接的な側面より不正の防止に大きく寄与し得るといえる。
【０１３２】
また、基板ボックス５１Ｂを開封しなくても検査できることから、検査を考慮した封印構成を採用する必要がない。そのため、封印状態を解除しにくい厳重な封印構成が採用されたとしても、検査に何ら支障を来すことはなく、かかる点で不正の防止効果をより高めることができる。
【０１３３】
さらに、ＩＣパッケージ７１を実装したまま外部から検査できることから、ＩＣパッケージ７１を取外し不能又は困難とするよう構成したとしても確認に支障が生じない。すなわち、本実施の形態の如く、ＩＣパッケージ７１のリード７３を主基板５１に対しハンダ接合により強固に固着することで、ＩＣパッケージ７１が取り外されるという不正行為が抑制され、より一層の不正防止に貢献できる。
【０１３４】
さらに、検査が行われた後、異常のない主基板５１及び基板ボックス５１Ｂを再度利用に供しようとした場合、再度封印を行ったり、基板ボックスを設置し直したりといった作業を要しないため、かかる点においても手間を簡略化することができ、結果として検査に際しての作業性の飛躍的な向上を図ることができる。
【０１３５】
なお、本実施の形態では、基板ボックス５１Ｂを透明の樹脂素材により構成していること、並びに、ＺＩＰタイプのＩＣパッケージ７１としたこと、及び、ＩＣパッケージ７１の封止体７４を透明樹脂材料により構成していることから、パッケージ７１を主基板５１から剥離することなく表面側のみならず裏面側も視認することができ、しかも、封止体７４内部のＩＣチップ７２をも容易に識別することができる。このため、外観上明らかな不正行為を、上記検査を行うまでもなく容易に発見することができ、さらなる不正行為の間接的な抑制を図ることができる。
【０１３６】
さらに、本実施の形態では、基板ボックス５１Ｂに対し、封印手段１０４が設けられ、本体側封印部１０５及び蓋体側封印部１０６の付け根の括れ部分をニッパ等で切断することにより、主基板５１を破損させることなく開封することができる。そのため、基板ボックス５１Ｂ内部を詳細に確認したい場合や、主基板５１をリサイクルに供するような場合に有利となる。但し、基板ボックス５１Ｂが開封されるのを極力防止して不正行為をより確実に抑制するといった観点からは、ニッパ等で切断されることで開封可能となるような封印手段１０４を設けることなく、開封不能又は著しく困難となるように基板ボックス５１Ｂを極力完全に閉鎖状態とするのが望ましい。
【０１３７】
尚、上述した実施の形態の記載内容に限定されることなく、例えば次のように実施してもよい。
【０１３８】
（ａ）上記実施の形態では、本体側封印部１０５の凹部１０７及び蓋体側封印部１０６の透孔１０９内に接着剤が流し込まれ、その状態で係止ピン１１１が嵌め込まれることにより、基板ボックス５１Ｂが封印状態に保持されることとなっているが、他の封印構成を採用しても何ら差し支えない。但し、上述したように検査等に際しては封印状態を解除する必要がないため、その封印構造は、容易に封印が解除されるものよりは、開封が困難なように構成されていることが望ましい。
【０１３９】
例えば図１１（ａ）に示す例では、本体側封印部１３１及び蓋体側封印部１３２が共に位置合わせされた状態で、樹脂封止体１３３にて封止された基板ボックスが図示されている。また、図１１（ｂ）に示す例では、本体側封印部１３４及び蓋体側封印部１３５に、それぞれ透孔１３６，１３７を形成するとともに、量透孔１３６，１３７を位置合わせした状態で、樹脂封止体１３８にて封止された基板ボックスが示されている。特に後者の例では、透孔１３６，１３７内にまで樹脂封止体１３８の樹脂が回り込むため、より確実に封印状態を確保することができる。もちろん、従来技術で説明したような特殊ネジ等の封印具を用いて接合固定したりしてもよい。さらに、上記例においては、樹脂製の係止ピン１１１を凹部１０７及び透孔１０９に嵌め込むといった構成を採用しているが、該係止ピン１１１を省略して、接着剤又は流動状態にある硬化性樹脂を凹部１０７及び透孔１０９に流し込む構成としてもよい。併せて、完全な封印状態としなくても、ボックス本体及びボックス蓋体を略閉鎖状態に維持できるものであれば、ボックス本体及びボックス蓋体間を接着剤やねじ等で固定したりしてもよい。
【０１４０】
（ｂ）上記実施の形態では、主基板５１の基板ボックス５１Ｂは、保護カバー６３の下方において、上部のソケット１１２部分が保護カバー６３で覆われるよう横長に配置する構成を採用しているが、図１２に示すように、基板ボックス５１Ｂを、保護カバー６３の側方において、側部のソケット１１２部分が保護カバー６３で覆われるよう縦長に配置する構成を採用してもよい。また、同図に示しように、モジュラージャック１１３が側方（図の左側方）に開口するよう配置してもよい。このように構成することで、図１３に示すように、非検査時には、モジュラージャック１１３の開口部に相対した近傍部位に外枠１が位置することとなるため、外枠１によってモジュラージャック１１３の開口部が保護されることとなり、異物が入りにくいという作用効果がより一層確実なものとなる。なお、同図に示す例ではモジュラージャック１１３の開口部を外枠１の近傍に位置せしめることとしているが、他の構成部材（例えば外枠１や前枠２から突出する図示しないリブ等）の近傍に配置せしめ、モジュラージャック１１３の開口部を保護することとしてもよい。
【０１４１】
また、図１２，１３に示す例では、モジュラージャック１１３は、パチンコ機の裏面から見て左側に設けられている。ここで、各種検査が行われるに際してはパチンコ機の裏面から見て右側を回動軸として前枠２が開かれるため、モジュラージャック１１３は、回動ストロークの最も多い部分、つまり、前枠２開成時に、パチンコ機の表側から見て最も近い側に設けられることとなる。このため、位置という観点から見れば、モジュラージャック１１３に対し外部リーダ１２１のコネクタ１２２を差し込むという作業をより行いやすくすることができる。
【０１４２】
（ｃ）さらに、図１４（ａ），（ｂ）に示すように、基板ボックス５１Ｂを、上記実施の形態と同様、保護カバー６３の下部において横長に配置するとともに、モジュラージャック１１３の位置をパチンコ機の裏面から見て側部に設けることとしてもよい。このように構成しても、モジュラージャック１１３に対し外部リーダ１２１のコネクタ１２２を差し込むという作業をより行いやすくすることができる。
【０１４３】
（ｄ）上記各例では、モジュラージャック１１３の開口部が略箱状をなす基板ボックス５１Ｂの側壁部に対応して設けられる構成が主流でとなっているが、例えば図１５（ａ），（ｂ）に示すように、モジュラージャック１１３の開口部を基板ボックス５１Ｂの天壁部に対応して設けることとしてもよい。なお、同図の例では、モジュラージャック１１３内部は、周壁１１５で囲われることとなるため、異物等の侵入からの十分な保護を図ることができる。また、同図において周壁１１５はテーパ状をなし、外部リーダ１２１側の端子１２２の接続時においては、該端子１２２が周壁１１５に沿って円滑に案内されることとなるため、接続作業が容易かつ円滑に行われることとなる。また、万一周壁１１５部分に遊技球Ｂが入り込んだとしても、テーパ面の存在によって、遊技球Ｂを確実に落下させることができる。なお、天壁部に対応してモジュラージャック１１３を設ける場合、図１５のように周辺部分ではなく、中央部分又はその近傍に対応して設けることとしてもよい。
【０１４４】
（ｅ）媒介手段、通信端子を構成するものとしてモジュラージャック１１３以外の端子（例えばピン受端子）等を採用してもよい。また、ＩＣチップ７２と外部確認装置との間で所定の端子を介して非接触状態で通信を行うことができるような構成としてもよい。例えば、主基板５１に、アンテナを配設しておき、管理ブロック８９及び無線通信可能な図示しない外部確認装置間で前記アンテナを介して送受信できるような構成が考えられる。かかる構成とすることで、確認時にコネクタの接続作業を行う必要がなく、しかも基板ボックスにモジュラージャック等の開口を必要とする部材を設ける必要がない。
【０１４５】
（ｆ）基板ボックス５１Ｂは必ずしも透明樹脂素材により構成されていなくてもよい。従って、例えば金属により構成されていてもよい。但し、この場合には、内部構造を視認できるよう、除き窓等が設けられているのが望ましい。
【０１４６】
（ｇ）上記実施の形態では主基板５１に対しＩＣチップ７２を内包したＩＣパッケージ７１を実装する構成を採用しているが、パッケージングを施すことなくＣＰＵ、ＲＯＭ等を基板に設けることとしてもよい。また、ＩＣパッケージ７１を採用する場合であっても、封止体７４を透明でない例えば黒色の樹脂材料により構成してもよい。また、上記実施の形態ではＺＩＰタイプ等の縦型のＩＣパッケージ７１を採用しているが、他のいかなるタイプをも適用することができる。例えば、上記ＺＩＰ構造と同様にリード引出面が１側面のタイプ（縦型）としては、他にもＳＩＰ（Ｓｉｎｇｌｅ  Ｉｎｌｉｎｅ  Ｐａｃｋａｇｅ）等を挙げることができる。また、リード突出面が２側面のタイプとしては上記ＤＩＰ（Ｄｕａｌ  Ｉｎｌｉｎｅ  Ｐａｃｋａｇｅ）タイプ（ＳＤＩＰ（Ｓｈｒｉｎｋ  ＤＩＰ）を含む）を例示することができる。
【０１４７】
なお、これらは、いずれもソケットを介して基板に実装される挿入型である。これに対し、面実装型のタイプを適用してもよい。面実装型としては、第１にリード突出面が２側面のタイプとして、ＳＯＰ（Ｓｍａｌｌ  Ｏｕｔｌｉｎｅ  Ｐａｃｋａｇｅ）タイプ（ＳＳＯＰ（Ｓｈｒｉｎｋ  ＳＯＰ）を含む）、ＴＳＯＰ（Ｔｈｉｎ  Ｓｍａｌｌ  Ｏｕｔｌｉｎｅ  Ｐａｃｋａｇｅ）タイプ、ＳＯＪ（Ｓｍａｌｌ  Ｏｕｔｌｉｎｅ  Ｊ−ｌｅａｄｅｄ  Ｐａｃｋａｇｅ）タイプ等を例示することができ、第２にリード突出面が４側面のタイプとして、ＱＦＰ（Ｑｕａｄ  Ｆｌａｔ  Ｐａｃｋａｇｅ）タイプ、ＴＱＦＰ（Ｔｈｉｎ  Ｑｕａｄ  Ｆｌａｔ  Ｐａｃｋａｇｅ）タイプ、ＱＦＪ（Ｑｕａｄ  Ｆｌａｔ  Ｊ−ｌｅａｄｅｄ  Ｐａｃｋａｇｅ）タイプ等を例示することができる。また、ＢＧＡ（Ｂａｌｌ  Ｇｒｉｄ  Ａｒｒａｙ）タイプであってもよい。
【０１４８】
（ｈ）本発明は、上記実施の形態とは異なるタイプのパチンコ機等にも適用できる。例えば、大当たり図柄が表示された後に所定の領域に遊技球を入賞させることを必要条件として特別遊技状態となるパチンコ機として実施してもよい。また、表示装置１９のないパチンコ機（例えば大羽根やクルーンといった役物が搭載されているタイプや、いわゆる多くのチューリップが搭載されているタイプ等）にも応用できる。また、パチンコ機以外にも、アレパチ、雀球、スロットマシン等の各種遊技機として実施することも可能である。なお、スロットマシンは、例えばコインを投入して図柄有効ラインを決定させた状態で操作レバーを操作することにより図柄が変動され、ストップボタンを操作することにより図柄が停止されて確定される周知のものである。この場合、遊技媒体はコイン、メダル等が代表例として挙げられる。
【０１４９】
また、パチンコ機とスロットマシンとが融合した遊技機の具体例としては、複数の図柄からなる図柄列を変動表示した後に図柄を確定表示する可変表示手段を備えており、遊技球打出用のハンドルを備えていないものが挙げられる。この場合、所定の操作（ボタン操作）に基づく、所定量の遊技球の投入の後、例えば操作レバーの操作に起因して図柄の変動が開始され、例えばストップボタンの操作に起因して或いは所定時間経過することにより図柄の変動が停止され、その停止時の確定図柄がいわゆる大当たり図柄であることを必要条件として遊技者に有利な大当たり状態が発生させられ、遊技者には、下部の受皿に多量の遊技球が払い出されるものである。
【０１５０】
（ｉ）上記実施の形態では、主基板５１及び主基板５１用の基板ボックス５１Ｂを代表例として説明しているが、このような構成を払出制御基板５２、図柄表示装置制御基板５３、音声制御基板５４、ランプ制御基板５５、発射制御基板５６等の他の基板及び各基板ボックスについても同様に適用してもよい。
【符号の説明】
【０１５１】
３…遊技盤、５０…制御装置、５１…主基板、５２…払出制御基板、５３…図柄表示装置制御基板、５４…音声制御基板、５５…ランプ制御基板、５６…発射制御基板、５１Ｂ，５２Ｂ，５６Ｂ…基板ボックス、６１…電源スイッチ基板、６２…電源分配基板、６３…保護部材としての保護カバー、７１…ＩＣパッケージ、７２…ＩＣチップ、７３…リード、７４…封止体、８１…中央処理装置（ＣＰＵ）、８２…プログラムＲＯＭ、８３…ユーザワークＲＡＭ、８９…独立記憶部を構成する管理ブロック、１０１…ボックス本体、１０２…ボックス蓋体、１０４…開封維持手段を構成する封印手段、１１２…ソケット、１１３…通信端子を構成するモジュラージャック、１２１…外部確認装置としての外部リーダ、１２２…コネクタ。
【図１】
2010240483.tif 000003
【図２】
2010240483.tif 000004
【図３】
2010240483.tif 000005
【図４】
2010240483.tif 000006
【図５】
2010240483.tif 000007
【図６】
2010240483.tif 000008
【図７】
2010240483.tif 000009
【図８】
2010240483.tif 000010
【図９】
2010240483.tif 000011
【図１０】
2010240483.tif 000012
【図１１】
2010240483.tif 000013
【図１２】
2010240483.tif 000014
【図１３】
2010240483.tif 000015
【図１４】
2010240483.tif 000016
【図１５】
2010240483.tif 000017